(57)【要約】【課題】  本発明は、サイフォン力を利用する排水システムの配管途中に、サイフォン力を制御する機構を設けることにより、破封を防止し、更に排水完了時に発生する水回り器具近辺での排水騒音の抑制が可能となったものである。【解決手段】  排水立管と、水回り器具からの器具排水管と、当該器具排水管を床面より落差をもって排水立管に合流させてなるサイフォン力を利用した排水システムであって、配管途中にサイフォン力制御機構を備えたサイフォン排水システム。１‥排水立管、３‥器具排水管、５‥床スラブ、１０‥エア注入手段。【選択図】図２
2006241708.tif 000002
【特許請求の範囲】
【請求項１】
排水立管と、水回り器具からの器具排水管と、当該器具排水管を床面より落差をもって排水立管に合流させてなるサイフォン力を利用した排水システムであって、配管途中にサイフォン力制御機構を備えたことを特徴とするサイフォン排水システム。
【請求項２】
サイフォン制御機構として、配管途中にエア注入手段を備えてなる請求項１記載のサイフォン排水システム。
【請求項３】
サイフォン制御機構として、サイフォン水頭Ｈｓ部分に長さを調整できる機構を設けてなる請求項１記載のサイフォン排水システム。
【請求項４】
サイフォン水頭Ｈｓ部分を二重管とし、外管をスライドさせて長さを調整できる請求項３記載のサイフォン排水システム。
【請求項５】
サイフォン水頭Ｈｓ部分を二重管とし、内外管に窓を設け、外管をスライドさせて窓部を合致させる請求項３記載のサイフォン排水システム。
【発明の詳細な説明】
【技術分野】
【０００１】
本発明は水回り器具のサイフォン排水システムテムの改良に関するものである。
【背景技術】
【０００２】
従来より、洗面台や台所等の水回り器具排水システムは、器具排水管として塩ビ等の管材を用い、所定の勾配を付けて固定金具等でスラブ面に直接固定し排水立管まで導いていた。そして、排水立管に至る間に、通常では異なる水回り器具からの器具排水管を合流継手を用いて、より管径の大きい器具排水管に合流させることが行われていた。
【０００３】
一方、水回り器具の排水システムとしてサイフォン力を利用したシステムが新たに提案されている（特許文献１）。このサイフォン排水システムは水回り器具からの排水システムとして最も優れたものであり、一つの水回り器具からの排水は排水過程において排水立管までの間に他の器具排水管と合流する部位がなく、しかも排水はサイフォン力を利用するため排水管に特別勾配の設定が不要であり、逆に、若干の上り勾配があっても排水が十分可能となったものである。更には、このために管材は２０Ａ程度の比較的細い管材でよく、更に又、かかる管材に制限はなく、例えばポリブテン管等の可撓管が最適である。
【０００４】
【特許文献１】特開２０００−２９７４４７号公報
【０００５】
しかるに、このサイフォン排水システムにあっても更に改良が求められる場合もあり、かかる排水システムにおいて、一度配管した後には、その後システムのサイフォン力を調整できなかった点である。このため、システム内で必要以上にサイフォン力が効き過ぎることがあり、これによってトラップ内の封水が切れることや、排水騒音が大きいという問題点があった。又、設計計画以上の配管抵抗があった場合、必要とされる排水流量を確保することができないことも指摘されていた。
【発明の開示】
【発明が解決しようとする課題】
【０００６】
本発明は以上のような従来のサイフォン排水システムの欠点を改良使用とするものであり、上記システムにおいて、配管途中にサイフォン力を制御する機構を組み込んでなるサイフォン排水システムを提供するものである。
【課題を解決するための手段】
【０００７】
本発明の要旨は、排水立管と、水回り器具からの器具排水管と、当該器具排水管を床面より落差をもって排水立管に合流させてなるサイフォン力を利用した排水システムであって、配管途中にサイフォン力制御機構を備えたサイフォン排水システムにかかるものである。
【発明の効果】
【０００８】
本発明にあって、サイフォン力を利用する排水システムの配管途中に、サイフォン力を制御する機構を設けることにより、破封を防止し、更に排水完了時に発生する水回り器具近辺での排水騒音の抑制が可能となったものである。又、排水能力が不足している場合には、排水立管合流前に、サイフォン力を制御する力を機構を設けることにより必要とされる排水流量を確保することが可能となったものである。
【発明を実施するための最良の形態】
【０００９】
先ず、本発明の基礎となるサイフォン力によるサイフォン排水システムの概要を説明すると、図１に示すように、各階を貫く排水立管１と、各階の水周り器具２から導かれる器具排水管３と、排水立管１へ器具排水管３を接続する合流部継手４とからなる排水システムであって、器具排水管３を合流することなく排水立管１へ導くもので、前記合流部継手４への合流レベルを排水階床スラブ５のレベルより下げ、器具排水管３内の流体を排水立管１内に合流させるシステムである。
【００１０】
そして、水回り器具２からの排水の流れについて言えば、排水口水頭Ｈｐのポテンシャルエネルギ−を利用して無勾配の器具排水管３へ水を流し、次いで、サイフォン水頭Ｈｓのポテンシャルエネルギ−にて器具排水管３内の水を誘導し、排水立管１へ導くシステムである。このため、器具排水管３に勾配がなくとも、逆に若干の逆勾配があったとしてもＨｓのポテンシャルエネルギ−によって器具排水管３内の水にサイフォン力を与えることができたものである。
【００１１】
しかるに、かかる排水システムは一度配管を行ってしまうと、排水口水頭、サイフォン水頭、器具排水管径等は全て配管時のままで排水が行われることとなり、サイフォン力を調整することができない構造となっている。
【００１２】
本発明にあって、サイフォン力を利用する排水システムの配管途中に、サイフォン力を制御する機構を設けることにより、破封を防止し、更に排水騒音の抑制が可能となったものである。又、排水能力が不足している場合には、排水立管合流前に、サイフォン力を制御する力を機構を設けることにより必要とされる排水流量を確保することが可能となったものである。
【００１３】
サイフォン制御機構の好ましい具体例としては、配管途中にエア注入手段、例えば、各種バルブ、サイフォンブレ−カ−等を備えてなるシステムであり、更には、サイフォン水頭部分に長さを調整できる機構を設けてなるシステムである。後者の場合には、サイフォン水頭部分を二重管とし、外管をスライドさせて長さを調整したり、内管及び外管にスリット等の窓部を設け、外管をスライドさせて窓部を合致させ、サイフォン水頭長さを変更するシステムである。
【実施例】
【００１４】
以下、実施例をもって本発明を更に詳細に説明する。図２は第１実施例を示す図であり、器具排水管にエア注入手段としてのバルブを備えてサイフォン力の調整を図ったものである。図中、１０はエア注入バルブであり、器具排水管に直列に配置された例である。これは所定のサイフォン力の場合にはバルブが開かずにいるが、過剰のサイフォン力がもたらされた場合には、バルブが開き、或いは手動にてバルブを開け、排水中にエアを混入してそのサイフォン力を下げるものである。尚、図中、エア注入バルブ１０は排水立管１近傍に備えたものであるが、ここに限定されることはなく、例えば水回り器具２の直下に備えることも可能で、その場所は選ばない。
【００１５】
図３は本発明に用いられるエア注入手段１０としてのバルブの一例であり、バルブ基体１０ａ中に弁体１０ｂと、これより立設された軸体１０ｃと、この軸体１０ｃに嵌め合わされたコイルバネ体１０ｄが内蔵されている。蓋部１０ｅがハンドル１０ｆによってバネ力が可変となり、排水管内のサイフォン力の程度によってエアが注入され、サイフォン力の調整を図ることができたものである。これは手動でバルブを開きエアを注入する例である。
【００１６】
図４は本発明に用いられるエア注入手段１０としての通気弁の一例であり、通気弁基体１０ｇに、周囲に通穴１０ｈを有する蓋体１０ｉとが組み合わされたものであり、可撓性のあるゴム弁１０ｊが内蔵されており、このゴム弁１０ｊには通気穴１０ｋが備えられている。この構造にあって、排水管内のサイフォン力が大きくなると通気穴１０ｋよりエアが巻き込まれ、これによってゴム弁１０ｊが浮き上がる、ここにゴム弁１０ｊと蓋体１０ｉとの間に隙間ができ、ここよりエアが更に入り込む。これによってサイフォン力の調整を図ることができたものである。この例は自動的にゴム弁１０ｊが開きエアを入れる例である。尚、通常は逆止弁が備えられるがここでは省略する。
【００１７】
図５は第２実施例を示す図であり、サイフォン力を印加する水頭レベルＨｓを変化させようとするものである。図中１１は内筒、１２は外筒であり、外筒１２は内筒１１に対して上下にスライド可能としたものである。即ち、両筒の重なりが大きければ、その分水頭レベルＨｓは短いものとなり、そのポテンシャルエネルギ−は低く抑えられる。この例にあっては、必要に応じてその水頭レベルを調整することによってサイフォン力を低下させることが可能となったものである。
【００１８】
図６は第３実施例を示す図であり、サイフォン力を印加する水頭レベルＨｓを変化させようとするものである。水頭レベルについて言えば、器具排水管の先端を前例と同様に内外筒の二重構造となっている。そして、両者にはスリット状の窓部１３ａ、１３ｂが形成されており、外筒１２を上下にスライドさせ、両者のスリット窓部を合致させてなるものである。
【００１９】
即ち、合わせられたスリット窓部１３ａ、１３ｂが比較的大きい場合には、サイフォン力が発生する水頭レベルＨｓの最下端となり、スリット窓部１３ａ、１３ｂが小さい場合にはこれよりエアが入り、サイフォン力を調整できる二通りの機能を発揮できることとなったものである。
【産業上の利用可能性】
【００２０】
本発明は以上の通りであり、サイフォン排水システムの排水能力を司どるサイフォン力の制御が可能となったものであり、その実用価値は極めて高い。
【図面の簡単な説明】
【００２１】
【図１】図１はサイフォン排水システムの原理を示す全体図である。
【図２】図２は本発明の第１実施例を示す図である。
【図３】図３は本発明に使用されるエア注入手段としてのバルブの一例である。
【図４】図４は本発明に使用されるエア注入手段としての通気弁の一例である。
【図５】図５は本発明の第２実施例を示す図である。
【図６】図６は本発明の第３実施例を示す図である。
【符号の説明】
【００２２】
１‥排水立管、
２‥水周り器具、
３‥器具排水管、
４‥排水立管へ器具排水管を接続する合流部継手、
５‥床スラブ、
１０‥エア注入手段、
１１‥内筒、
１２‥外筒、
１３ａ、１３ｂ‥窓部、
Ｈｓ‥サイフォンをもたらす水頭レベル。
【図１】
2006241708.tif 000003
【図２】
2006241708.tif 000004
【図３】
2006241708.tif 000005
【図４】
2006241708.tif 000006
【図５】
2006241708.tif 000007
【図６】
2006241708.tif 000008